(57)【特許請求の範囲】
【請求項１】
入力端子から少なくとも２つ以上の受信信号が入力され、その入力信号を中間周波数信号に変換し出力する受信用チューナであって、
少なくとも１つ以上の入力端子と、
入力された受信信号数よりも少ない１つ以上の中間周波数出力端子とを備え、
前記中間周波数出力端子から、前記中間周波数信号が出力されるようにしており、
前記中間周波数出力端子から出力される少なくとも１つの中間周波数信号は、２つ以上の入力信号の中間周波数信号が含まれている受信用チューナにおいて、
前記入力端子から入力された前記少なくとも２つ以上の受信信号を、信号分配する分配器と、
前記分配器によって信号分配された受信信号のそれぞれに対応させて設けられ、信号分配された受信信号のそれぞれを各々の受信信号に対応する中間周波数に変換する、複数個の中間周波数変換部と、
前記中間周波数変換部の後段に設けられ、変換されたアナログの中間周波数信号をデジタルに変換するＡ／Ｄ変換器と、
前記Ａ／Ｄ変換器の後段に設けられ、デジタル信号の周波数帯域を制限する、デジタルフィルタ部と、
前記デジタルフィルタ部の後段に設けられ、それぞれの中間周波数信号を、互いに周波数的に重ならないように周波数的にシフトさせる周波数シフト器と、
前記周波数シフト器の後段に設けられ、互いにシフトした各中間周波数信号をデジタル信号で加算する加算器とをさらに備え、
加算された結果を前記中間周波数出力端子から出力することを特徴とする受信用チューナ。
【請求項２】
前記加算器の後段に設けられ、出力されたデジタル信号を再度アナログ信号に変換するＤ／Ａ変換器をさらに備え、
変換されたアナログ信号の中間周波数信号を出力することを特徴とする請求項１に記載の受信用チューナ。
【請求項３】
請求項１又は２に記載の受信用チューナを備えており、
前記受信用チューナが受信した受信信号に基づいて、文字、画像、データ及び音声の少なくともいずれか１つの再生または記録処理を行うことを特徴とする受信装置。
【発明の詳細な説明】
【技術分野】
【０００１】
本発明は、一般に、放送波などの電波を複数同時に受信するマルチチャンネルの受信用チューナに関するものであり、より特定的には、複数のチャンネルの放送波を同時に受信することを目的とし、受信装置の構成要素を共用することによりハード量を削減しつつ、受信チャンネル数よりも、出力信号線を少なくした受信用チューナおよび受信装置に関するものである。
【背景技術】
【０００２】
近年、ＨＤＤ（ハードディスクドライブ）やＤＶＤ（デジタルバーサタイルディスク）などの記録媒体の記録容量の増大化と低価格化により、ＨＤＤやＤＶＤなどの記録媒体への録画・再生可能な商品が出始めた。これら記録媒体を使い、放送を見ながら、見ている放送以外の放送を録画したり、同時に多くの放送を録画するようなサーバー機能を持った録画機器の商品化が行われるようになってきた。このような中で、同時に多くの放送を受信するためには、同時に受信するチャンネル数と同じ数のチューナが必要となり、比較的大きなスペースが必要になる、コストアップにつながるという課題があり、この課題解決に向けた技術が提案されている（例えば特許文献１参照）。
【０００３】
この従来技術は、上記課題を解決するため、少なくとも１つ以上の入力端子と、入力端子から得られる入力信号を並列に中間周波数に周波数変換する２つ以上の周波数変換回路を持ち、変換された２つ以上の中間周波数をチューナ外部へ出力することを特徴としている。
【０００４】
図１０は、特許文献１に開示されているデジタル放送受信用チューナの機能ブロック図である。図１０に示すように、このデジタル放送受信用チューナ９００は、シングルコンバージョン方式を２個分備えたものとなっている。デジタル放送受信用チューナ９００では、同図に示すように、入力端子１から入力された信号は、ＲＦ(Radio Frequency)増幅器９０１にて増幅された後、例えばＹ分配器等の分配器９０２にて信号分配される。
【０００５】
信号分配した片側は、バンドパスフィルタ９１０にて帯域フィルタリングされ、ＲＦ利得制御器９１１にて所定のレベルにレベル制御され、周波数変換回路部９１２にて中間周波数信号例えば５７ＭＨｚに周波数変換される。周波数変換回路部９１２は、ミキサー回路部９１２ａとローカル発振回路部９１２ｂとこのローカル発振回路部９１２ｂを周波数制御するＰＬＬ（Phase Locked Loop：位相同期ループ）回路部９１２ｃからなる。周波数変換回路部９１２にて周波数変換された中間周波数（ＩＦ：Intermediate Frequency）信号は、バンドパスフィルタ９１３にて帯域フィルタリングされた後、ＩＦ利得制御器９１４にて再度レベル制御され、ＩＦ増幅器９１５にてレベル増幅され、ＩＦ出力端子９１６に出力される。
【０００６】
一方、分配器９０２にて信号分配されたもう片側は、同様にバンドパスフィルタ９２０にて帯域フィルタリングされ、ＲＦ利得制御器９２１にて所定のレベルにレベル制御され、周波数変換回路部９２２にて中間周波数信号例えば５７ＭＨｚに周波数変換される。周波数変換回路部９２２は、ミキサー回路部９２２aとローカル発振回路部９２２ｂとこのローカル発振回路部９２２ｂを周波数制御するＰＬＬ回路部９２２ｃとからなる。周波数変換回路部９２２にて周波数変換された中間周波数信号は、バンドパスフィルタ９２３にて帯域フィルタリングされた後、ＩＦ利得制御器９２４にて再度レベル制御され、ＩＦ増幅器９２５にてレベル増幅され、ＩＦ出力端子９２６に出力される。
【０００７】
２つのＩＦ出力端子９１６，９２６は、ＯＦＤＭ（Orthogonal Frequency Division Multiplex:直交周波数分割多重）復調回路又はアナログ復調回路に入力して、並列に地上波デジタル信号や、地上波アナログ信号を受信することができる。
【０００８】
図１０のデジタル放送受信用チューナ９００の入力端子に入力された信号と、２つのＩＦ出力端子９１６、９２６の出力信号の状態を図１１に示す。図１０と１１を参照して、入力された信号には、チャンネルa（ＣＨａ）とチャンネルｂ（ＣＨｂ）の信号が周波数的に少し離れて入っており、分配器９０２によって信号分配された信号の一方は、バンドパスフィルタ９１０によってチャンネルaの周波数成分が選択され、周波数変換回路部９１２にて周波数変換された中間周波数信号は、ＩＦ出力端子９１６にチャンネルaの信号帯域そのままで、振幅の正規化と周波数シフトを行ってＩＦ出力信号として出力される。
【０００９】
同様に分配器９０２によって信号分配された信号の他方は、バンドパスフィルタ９２０によってチャンネルｂの周波数成分が選択され、周波数変換回路部９２２にて周波数変換された中間周波数信号は、ＩＦ出力端子９２６にチャンネルｂの信号帯域そのままで、振幅の正規化と周波数シフトを行ってＩＦ出力信号として出力される。
ここで、２つのＩＦ出力端子９１６，９２６から出力されるＩＦ出力信号の中心周波数は５７ＭＨｚで同じ周波数である。
【００１０】
図１０に示した従来例では、シングルコンバージョン方式を２つ並列に並べた構成を示しているが、特許文献１では、ダブルコンバージョン方式や、Ｌｏｗ−ＩＦ方式などを用いても良く、かつ異なる方式を混在させて構成しても良いことが開示されている。Ｌｏｗ−ＩＦ方式を用いる場合、その中心周波数は４ＭＨｚなどの低い周波数が採用される。
【００１１】
【特許文献１】特開２００３−３０９７７６号公報
【発明の開示】
【発明が解決しようとする課題】
【００１２】
特許文献１に開示の技術の場合は、同時に多くの放送を受信するために、同時に受信するチャンネル数と同じ数のチューナが必要となり、比較的大きな消費電力とスペースが必要になる、コストアップにつながるという課題に対し、１つの受信用チューナに、２つ以上の周波数変換回路を備え、それぞれの周波数変換回路が出力する複数の中間周波数信号をチューナ外部に出力することにより、１つのチューナで複数の放送を並列に受信することにより、低消費電力、小型、安価なチューナを提供することができた。
【００１３】
しかし、同時に受信する放送波が多くなった場合、中間周波数に変換された信号を同時に受信する可能性がある放送波の数と同じだけ出力する必要がある。このため中間周波数信号の出力信号線を、同時に受信する可能性がある放送波の最大数分、用意する必要があり、複雑でコストアップの要因となっていた。
【００１４】
この発明は上記の問題点を解決するためになされたもので、同時に受信する放送波が多くなった場合でも、出力信号線を受信チャンネル数よりも少なくすることができるように改良された受信用チューナおよび受信装置を提供することを目的とする。
【００１５】
この発明の他の目的は、チップ面積の削減および消費電力の削減を図ることができるように改良された受信用チューナおよび受信装置を提供することにある。
【００１６】
この発明のさらに他の目的は、１つの設計で、種々な場合に対応することができ、拡張性に優れた受信用チューナおよび受信装置を提供することにある。
【課題を解決するための手段】
【００１７】
この発明に従う受信用チューナは、入力端子から少なくとも２つ以上の受信信号が入力され、その入力信号を中間周波数信号に変換し出力する受信用チューナであって、少なくとも１つ以上の入力端子と、入力された受信信号数よりも少ない１つ以上の中間周波数出力端子とを備え、上記中間周波数出力端子から、上記中間周波数信号が出力されるようにしている。
【００１８】
上記中間周波数出力端子から出力される少なくとも１つの中間周波数信号は、２つ以上の入力信号の中間周波数信号が含まれる。
【００２４】
当該受信用チューナは、上記入力端子から入力された上記少なくとも２つ以上の受信信号を、信号分配する分配器と、上記分配器によって信号分配された受信信号のそれぞれに対応させて設けられ、信号分配された受信信号のそれぞれを各々の受信信号に対応する中間周波数に変換する、複数個の中間周波数変換部と、それぞれの中間周波数変換部で得られた中間周波数信号を、互いに周波数的に重ならないように周波数的にシフトさせる周波数シフト器と、互いにシフトした各中間周波数信号を加算する加算器を備え、加算された結果を上記中間周波数出力端子から出力するように構成する。
【００２５】
この場合、上記中間周波数変換部の後段に設けられ、変換されたアナログの中間周波数信号をデジタルに変換するＡ／Ｄ変換器と、上記Ａ／Ｄ変換器の後段に設けられ、デジタル信号の周波数帯域を制限する、デジタルフィルタ部とをさらに備え、上記加算器は、シフトした上記各中間周波数信号をデジタル信号で加算するのが好ましい。
【００２６】
この発明のさらに好ましい実施態様によれば、上記加算器の後段に設けられ、出力されたデジタル信号を再度アナログ信号に変換するＤ／Ａ変換器を備え、変換されたアナログ信号の中間周波数信号を出力する。
【００２７】
この発明の他の局面に従う受信装置は、上記受信用チューナを備えており、上記受信用チューナが受信した受信信号に基づいて、文字、画像、データ及び音声の少なくともいずれか１つの再生または記録処理を行うことを特徴とする。
【発明の効果】
【００２８】
従来の技術では、受信用チューナから出力される中間周波数信号線を、同時に受信する可能性のある放送波の最大数分を確保する必要があった。また放送を復調する復調チップの入力端子も同様に同時に受信する可能性のある放送波の最大数分の入力端子を備える必要があり、構成が複雑で、コストアップにつながる問題があった。
【００２９】
本発明のチューナでは、上記の課題を解決するための手段を施すことにより、同時に多くの放送を受信するときでも、チューナの中間周波数の出力端子を１つ備えるのみで良く、また復調側においても、入力端子を１つのみ備えることで同時に多くの放送を受信可能である。
【００３０】
また、何チャンネルの同時受信においても、中間周波数の入出力は、１つの信号線で良いので、１つの設計で、種々な場合に対応することができ、拡張性に優れている効果がある。
【００３１】
本発明のチューナは、文字、画像、データ、及び音声の少なくともいずれか１つの再生処理を行うデジタルＴＶなどの受信装置に採用されうる。このような受信装置は本発明のチューナの出力する中間周波数の出力から復調された受信信号から文字、画像、データ、音声等に関する情報を取得し、記録あるいは再生処理を行う。
【発明を実施するための最良の形態】
【００３２】
本発明は、複数のチャンネルの放送波を同時に受信することを目的とし、受信装置の構成要素を共用することによりハード量を削減しつつ、受信チャンネル数よりも、出力信号線を少なくしたチューナに係る。以下、本発明の実施例を添付図面を参照して説明する。以下の図において、同一の参照番号を有する部材は、同じものとする。
【００３３】
（参考例１）
【００３５】
図１は、参考例１に係る受信用チューナの一例を示す機能ブロック図である。図１に示す通り本参考例１にかかるチューナは、図１０に示した従来のチューナとほぼ同じような機能構成を持っているが、ＩＦ利得制御器１１４からのＩＦ出力と、もうひとつのＩＦ利得制御器１２４からのＩＦ出力を加算するＩＦ加算器１０５を持ち、２つのＩＦ出力を加算した出力を１つのＩＦ増幅器１１５にてレベル増幅し、１つのＩＦ出力端子１０９に出力される点が異なっている。
【００３６】
図１に示す放送受信用チューナ１００では、入力端子１から入力された信号は、ＲＦ増幅器１０１にて増幅された後、Ｙ分配器等の分配器１０２にて信号分配される。
【００３７】
信号分配した片側は、バンドパスフィルタ１１０にて帯域フィルタリングされ、ＲＦ利得制御器１１１にて所定のレベルにレベル制御され、周波数変換回路部１１２にてＩＦ信号の中心周波数を、例えば４ＭＨｚに周波数変換する。周波数変換回路部１１２は、ミキサー回路部１１２ａとローカル発振回路部１１２ｂとこのローカル発振回路部１１２ｂを周波数制御するＰＬＬ回路部１１２ｃからなる。周波数変換回路部１１２にて周波数変換されたＩＦ信号は、バンドパスフィルタ１１３にて帯域フィルタリングされた後、ＩＦ利得制御器１１４にて再度レベル制御され、ＩＦ加算器１０５に出力される。
【００３８】
一方、上記分配器１０２にて信号分配されたもう片側は、同様にバンドパスフィルタ１２０にて帯域フィルタリングされ、ＲＦ利得制御器１２１にて所定のレベルにレベル制御され、周波数変換回路部１２２にて他方のＩＦ信号の帯域と重ならないように、ＩＦ信号の中心周波数が、例えば１２ＭＨｚになるように周波数変換される。周波数変換回路部１２２は、ミキサー回路部１２２aとローカル発振回路部１２２ｂとこのローカル発振回路部１２２ｂを周波数制御するＰＬＬ回路部１２２ｃとからなる。周波数変換回路部１２２にて周波数変換されたＩＦ信号は、バンドパスフィルタ１２３にて帯域フィルタリングされた後、ＩＦ利得制御器１２４にて再度レベル制御され、ＩＦ加算器１０５に出力され、他方のＩＦ信号と加算された後、ＩＦ増幅器１１５にてレベル増幅され、ＩＦ出力端子１０９に出力される。
【００３９】
ＩＦ出力端子１０９に含まれる、２つ以上のＩＦ信号に基づき、２つ以上のＩＦ信号を復調可能な復調回路に入力して、並列に地上波デジタル信号や、地上波アナログ信号などの放送波を受信することができる。
【００４０】
図２を用いて、参考例１に係る図１の受信用チューナの信号の流れについて、図１１に示す従来方法と比較しながら説明する。図１０の従来構成に対し、本実施例に係る構成では、チャンネルｂのＩＦ信号の中心周波数が従来の４ＭＨｚから１２ＭＨｚに変更されており、チャンネルaの信号とチャンネルｂの信号が周波数的に重ならないようになっている。このため、図１の加算器１０５による信号の単純な加算により、２つのＩＦ信号をＩＦ出力端子１０９から１つの信号線で出力できる。
【００４１】
この構成を実現するため、図１のローカル発振回路部１２２ｂの発振周波数は、図１０のローカル発振回路部９２２ｂの発振周波数に比べ、８ＭＨｚ低い発振周波数を設定している。また図１０のバンドパスフィルタ９１３、９２３は４ＭＨｚの中心周波数のバンドパス特性を持ったフィルタで構成しているが、図１のバンドバスフィルタ１２３のバンドパス特性は、中心周波数１２ＭＨｚを通過させるためのバンドパス特性を持っている。
【００４２】
これらのローカル発振回路部の発振周波数は一例であり、チップ面積などを考慮して、バンドパスフィルタ１１０，１１３、１２０、１２３の遮断周波数特性を緩やかにした場合、チャンネルｂの中心周波数をより高い周波数に設定しても良い。このように、信号間の間隔をバンドパスフィルタの周波数特性に従い広くしたり、狭くしたりすることができる。
【００４３】
図３は、参考例１に係る図１の構成を簡略化して、コスト削減した一例を示した機能ブロック図である。図１のバンドパスフィルタ１１０、１２０は、受信するチャンネルに対応した狭帯域のバンドパス特性を持っているが、図３のバンドパスフィルタ３１０は、受信する全てのチャンネルを通過させる広帯域のバンドパスフィルタ機能を持たせている。図３のバンドパスフィルタ３１３、３２３のバンドパス特性は、図１のバンドパスフィルタ１１３、１２３と同等以上の遮断周波数性能を持った、バンドパスフィルタによって構成されている。
【００４４】
さらに図３に示す受信用チューナでは、図１のＲＦ増幅器１０１とＲＦ利得制御器１１１、１２１の３つの機能を、１つのＲＦ利得制御器３１１で実現することにより、図１のＲＦ増幅器１０１を削減し、２つのＲＦ利得制御器を１つに統合している。ここで、１つのＲＦ利得増幅器に統合せずに、各チャンネルに対応したＲＦ利得増幅器を設置しても良い。
【００４５】
さらに図３に示す受信用チューナでは、ＩＦ利得制御器３１４、３２４がそれぞれ図１のＩＦ利得増幅器１１４とＩＦ増幅器１１５の組み合わせ、ＩＦ利得増幅器１２４とＩＦ増幅器１１５の組み合わせに対応する機能を果たすことにより、図１のＩＦ増幅器１１５を削減している。
【００４６】
（参考例２）
【００４８】
図４は参考例２に係る受信用チューナの一例を示す機能ブロック図である。本参考例では、チューナからの出力信号を、アナログからデジタルに変えることにより、ノイズに強くし、デジタル放送と親和性を高めている。
【００４９】
図４に示す通り、本参考例のチューナ４００の機能構成は、参考例１に係る図３に示したチューナ３００とほぼ同じような機能構成を持っているが、ＩＦ加算器４０７のアナログ出力にＡＤ変換器４０８が接続され、デジタル化された信号がＩＦ出力端子４０９に出力される点が異なっている。
【００５０】
（参考例３）
【００５１】
図５は参考例３に係る受信用チューナの一例を示す機能ブロック図である。
【００５２】
図５に示す通り、本参考例に係るチューナ５００の機能構成は、先に説明した図４に示したチューナ４００とほぼ同じような機能構成を持っているが、図４の機能構成では、アナログ加算器４０７を用い１つにまとめたアナログ信号をＡＤ変換器４０８でデジタル化しているが、図５の機能構成では、個々のＩＦ信号を各々のＡＤ変換器５１８、５２８を用いデジタル信号に変換し、各々のデジタル信号を、デジタル加算器５０７を用いて加算し、ＩＦ出力端子５０９からデジタル信号が出力される点が異なっている。
【００５３】
（参考例４）
【００５４】
図６は参考例４に係る受信用チューナの機能構成の一例を示す機能ブロック図である。
【００５５】
近年、半導体の微細化の進行により、従来アナログ回路で実現してきたことを、デジタル処理により実現することにより、チップ面積を小さくすることが可能になってきた。このため、急峻な特性を持つバンドパスフィルタを構成する場合においても、アナログ回路で実現するよりもデジタル回路で実現するほうが、サンプリング周波数やチッププロセスによっては、チップ面積を小さく、あるいは消費電力を少なくすることが可能である。
【００５６】
このことを踏まえて、図５に示したチューナ５００のバンドパスフィルタ３１３，３２３で急峻なフィルタ特性を実現する代わりに、図６に示す本参考例のチューナ６００の機能構成では、緩いフィルタ特性のバンドパスフィルタ６１３、６２３を用いている。これらのバンドパスフィルタ６１３、６２３は、各チャンネルの信号が折り返し歪によるノイズに邪魔されない程度の緩いフィルタ特性とすることによりチップ面積を削減している。これら緩いバンドパスフィルタ６１３、６２３を用いる一方で、アナログのＡＤ変換器６１８、６２８によってデジタル信号に変換された信号を、急峻なフィルタ特性を持つデジタルフィルタ６１７、６２７でフィルタすることにより、図５のアナログの急峻なフィルタを用いるのと同等な機能を実現している。このようにデジタル処理によるフィルタと組み合わせることにより、トータルとしてチップ面積を小さく、消費電力を少なくすることが可能となる。
【００５７】
図７は、図６の参考例に係る受信用チューナの機能構成の一例の１つのバリエーションを示したもので、周波数変換した後に、緩いバンドパスフィルタをかける構成要素を削減する代わりに、入力信号を分配器７０２で分配した高周波領域で、緩くそのチャンネルの帯域のみを透過するバンドパスフィルタ７１０，７２０を配置した機能構成である。このような変形例であっても同様の効果を奏する。
【００５８】
（実施例１）
【００５９】
実施例１は請求項１に対応するものである。
【００６０】
実施例１にかかる受信用チューナは、図示しないが、入力端子から入力された少なくとも２つ以上の受信信号を、信号分配する分配器を備える。該分配器によって信号分配された受信信号のそれぞれに対応させて、信号分配された受信信号のそれぞれを各々の受信信号に対応する中間周波数に変換する、複数個の中間周波数変換部が設けられている。該中間周波数変換部の後段に、変換されたアナログの中間周波数信号をデジタルに変換するＡ／Ｄ変換器が設けられている。該Ａ／Ｄ変換器の後段に、デジタル信号の周波数帯域を制限する、デジタルフィルタ部が設けられている。該デジタルフィルタ部の後段に、それぞれの中間周波数信号を、互いに周波数的に重ならないように周波数的にシフトさせる周波数シフト器が設けられている。該周波数シフト器の後段に、互いにシフトした各中間周波数信号をデジタル信号で加算する加算器が設けられている。加算された結果は、中間周波数出力端子から出力される。
【００６１】
上述の参考例１−５では、各チャンネルの信号を、図２に示したような周波数領域に、ＩＦ信号として変換していたが、本実施例にかかる構成によれば、図８に示しているように各チャンネルの中心周波数を同一として、後で周波数帯域をシフトした後、加算する。これはサンプリング周波数に対して、高い周波数のバンドパスフィルタを構成する場合、折り返し歪の関係から、ハード規模が大きくなることを考え、アナログフィルタでは、簡単な構成として、後でデジタル処理により、バンドパス、周波数シフト処理を行うことにより、チップ面積の削減や、消費電力を削減するものである。
【００６２】
（実施例２）
【００６３】
実施例２は、請求項２に対応するものである。図９は、図６の参考例に係る受信用チューナの機能構成の一例の１つのバリエーションを示したもので、チップ面積削減、低消費電力化を測るために、内部ではデジタル処理を行うが、ＩＦ出力端子にはアナログ信号を出力するため、処理したデジタル信号をＤＡ変換器６９を用い、アナログ信号に変換して、外部出力するものである。
【００６４】
本発明に係る受信用チューナは、図示はされていないが、ＨＤＤ録画再生装置（受信機）に設けられている。ＨＤＤ録画再生装置がアンテナから同時に多くの放送を受信した信号は、チューナによって中間周波数の周波数に変換される。変換された信号から文字や画像やデータや音声にかかる情報が取り出され、これら文字や画像やデータや音声などの情報がＨＤＤなどに録画される。あるいはこれら文字や画像やデータや音声などの情報が再生され、利用者に提供される。なお、チューナがＨＤＤ録画再生装置の他、ＴＶ受信機、無線ＬＡＮ装置、チューナを装着したＰＣなど（以上、受信装置）に採用されてよい。
【００６５】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６６】
本発明に係る受信用チューナでは、同時に多くの放送を受信するときでも、チューナの中間周波数の出力端子を１つ備えるのみで良く、また復調側においても、入力端子を１つのみ備えることで同時に多くの放送を受信可能である。
【図面の簡単な説明】
【００６７】
【図１】参考例１に係る受信用チューナの一例を示す機能ブロック図である。
【図２】参考例１に係る図１の受信用チューナの信号の流れを示す図である。
【図３】参考例１に係る受信用チューナの変形例を示す機能ブロック図である。
【図４】参考例２に係る受信用チューナの一例を示す機能ブロック図である。
【図５】参考例３に係る受信用チューナの一例を示す機能ブロック図である。
【図６】参考例４に係る受信用チューナの一例を示す機能ブロック図である。
【図７】参考例４に係る受信用チューナの変形例を示す機能ブロック図である。
【図８】実施例１に係る受信用チューナの信号の流れを示す図である。
【図９】図６の参考例に係る受信用チューナの変形例を示す機能ブロック図である。
【図１０】従来のデジタル放送受信用チューナの機能ブロック図である。
【図１１】従来のデジタル放送受信用チューナの信号の流れを示す図である。
【符号の説明】
【００６８】
１００      放送受信用チューナ
１０１      増幅器
１０２      分配器
１０５      加算器
１０９      出力端子
１１０      バンドパスフィルタ
１１０，１１３     バンドパスフィルタ
１１１      利得制御器
１１２ａ    ミキサー回路部
１１２ｂ    ローカル発振回路部
１１２ｃ    ＰＬＬ回路部
１１２      周波数変換回路部
１１３      バンドパスフィルタ
１１４      利得制御器
１１４      利得増幅器
１１５      増幅器
１２０      バンドパスフィルタ
１２１      利得制御器
１２２a     ミキサー回路部
１２２ｂ    ローカル発振回路部
１２２      周波数変換回路部
１２２ｃ    ＰＬＬ回路部
１２３      バンドバスフィルタ
１２４      利得制御器
【図１】
0004420875.tif 000002
【図２】
0004420875.tif 000003
【図３】
0004420875.tif 000004
【図４】
0004420875.tif 000005
【図５】
0004420875.tif 000006
【図６】
0004420875.tif 000007
【図７】
0004420875.tif 000008
【図８】
0004420875.tif 000009
【図９】
0004420875.tif 000010
【図１０】
0004420875.tif 000011
【図１１】
0004420875.tif 000012